(57)【特許請求の範囲】
【請求項１】
フード１と送風機２を備え、その送風機２を駆動することで調理時に発生した油煙をフード１の内部１ａに捕集し、ダクトを通して屋外に排出するレンジフードであって、
前記フード１の内部１ａの最高部に開口部１５を有し、
前記フード１の内面１ｂは、開口部１５周囲近傍から下方に向けて順次傾斜し、
前記送風機２をフード１の上方に設け、当該送風機２のシロッコファン３１を回転することで油煙が開口部１５から送風機２に吸い込みされるようにし、
前記フード１の内部１ａに回転体３を水平方向に回転自在で、かつ送風機２のシロッコファン３１と離れて設け、この回転体３を送風機２で回転するようにし、
前記回転体３の外周面に洗浄液を供給する洗浄液供給部５を設け、
前記回転体３は、その外周面に供給された洗浄液が落下しないように受ける洗浄液受け部４を有し、かつその回転体３が回転することで洗浄液受け部４の洗浄液がフード１の内面１ｂに向けて飛散するように構成し、
前記洗浄液受け部４は、回転体３の外周面に設けた環状の上向き凹部３ａとしたことを特徴とする洗浄機能付きレンジフード。
【請求項２】
フード１と送風機２を備え、その送風機２を駆動することで調理時に発生した油煙をフード１の内部１ａに捕集し、ダクトを通して屋外に排出するレンジフードであって、
前記フード１の内部１ａの最高部に開口部１５を有し、
前記フード１の内面１ｂは、開口部１５周囲近傍から下方に向けて順次傾斜し、
前記送風機２をフード１の上方に設け、当該送風機２のシロッコファン３１を回転することで油煙が開口部１５から送風機２に吸い込みされるようにし、
前記フード１の内部１ａに回転体３を水平方向に回転自在で、かつ送風機２のシロッコファン３１と離れて設け、この回転体３を送風機２で回転するようにし、
前記回転体３の外周面に洗浄液を供給する洗浄液供給部５を設け、
前記回転体３は、回転することで外周面に供給される洗浄液が前記フード１の内面１ｂに向けて飛散するように構成し、
前記洗浄液供給部５は、送風機２のシロッコファン３１の外周面に洗浄液を供給し、そのシロッコファン３１の回転で洗浄液が送風機２のケーシング３０の内面に吹きつけられるように構成し、
前記ケーシング３０内の洗浄液が回転体３の外周面に流れ落ちるようにしたことを特徴とする洗浄機能付きレンジフード。
【請求項３】
回転体３の外周面に環状の張り出し部３ｄを設けて洗浄液受け部４とした請求項２記載の洗浄機能付きレンジフード。
【請求項４】
回転体３は環状の上向き凹部３ａを有し、その上向き凹部３ａに飛散用フィン３ｂが周方向に間隔を置いて複数設けられて洗浄液受け部４を形成した請求項１記載の洗浄機能付きレンジフード。
【請求項５】
回転体３はフード１の内面１ｂにおける水平方向のほぼ中央に設けた請求項１〜４いずれか１項記載の洗浄機能付きレンジフード。
【請求項６】
送風機２は、ケーシング３０とシロッコファン３１とモータ３２を備え、そのシロッコファン３１の回転で吸込口２ａから空気を吸い込んで、吐出口２ｂから吐出するものとすると共に、その吸込口２と前記フード１の開口部１５を連通し、
前記モータ３２の出力軸部分を軸３４で回転体３に連結し、モータ３２でシロッコファン３１を回転することで回転体３が回転するようにした請求項１〜５いずれか１項記載の洗浄機能付きレンジフード。
【請求項７】
フード１に、洗浄液受けパネル９と洗浄液タンク８を、フード１の内面１ｂに吹きつけられた洗浄液が洗浄液受けパネル９に沿って流れて洗浄液タンク８に回収されるように取付け、
前記洗浄液タンク８内の洗浄液を供給するポンプ７と、このポンプ７を駆動するモータ６で洗浄液供給部５とした請求項１〜６いずれか１項記載の洗浄機能付きレンジフード。
【請求項８】
前記フード１は、開口部１５を有したフード本体１４と、このフード本体１４内に設けた内面パネル１６を備え、
前記内面パネル１６は、フード本体１４の開口部１５の周縁部からフード本体１４の内周面に亘って取り付けられ、その周縁部に沿った部分から順次下方に向けて傾斜したほぼ逆漏斗形状で、その内面パネル１６の下面をフード１の内面１ｂとした請求項１〜７いずれか１項記載の洗浄機能付きレンジフード。
【発明の詳細な説明】
【技術分野】
【０００１】
本発明は、調理時に発生する湯気、油分を含む空気等をフード内に捕集し、送風機で屋外に排出するレンジフードにおいて、そのフード内部を洗浄できるようにした洗浄機能付きレンジフードに関する。
【背景技術】
【０００２】
従来から調理時に発生した湯気、油分を含む空気等をフード内に捕集し、送風機で屋外に排出するレンジフードが知られている。
そして、前述のレンジフードにおいては、そのフード内部を洗浄できるようにした洗浄機能付きレンジフードが種々提案されている。
例えば、特許文献１に開示されたように、フード内部の縁部に沿って配設した洗浄液噴射部と、洗浄液供給部を備え、この洗浄液噴射部の複数の噴射口から洗浄液をフード内部に向けて噴射して吹きつけることで、そのフード内部に付着した汚れを洗浄するようにした洗浄機能付きレンジフードが提案されている。
【先行技術文献】
【特許文献】
【０００３】
【特許文献１】特開２００５−２２１１１４号公報
【発明の概要】
【発明が解決しようとする課題】
【０００４】
前述した従来の洗浄機能付きレンジフードの洗浄液噴射部は、フード内部の縁部に沿って送液用の配管を張り巡らせ、その配管に複数の噴射口を設けた複雑で大掛かりな構成である。
前記洗浄液供給部は、モータで供給ポンプを駆動し、その供給ポンプで洗浄液タンク内の洗浄液を前述の配管に供送するものである。
【０００５】
そして、供給ポンプから洗浄液を高圧で配管に供送すると共に、噴射口の口径を小さくして、洗浄液をフード内部に勢いよく吹きつけることで、フード内部を十分に洗浄できるようにしているので、そのモータ、供給ポンプは前述の要求を満足できる高性能でコスト高なものを用いることになるので、洗浄液供給部が高価である。
【０００６】
このように、従来の洗浄機能付きレンジフードは、そのフード内部を洗浄するためのみに用い、空気等を屋外に排出する際には何ら用いることがない高価な洗浄液供給部を備えていると共に、前述した複雑で大掛かりな洗浄液噴射部を有するから、レンジフードが高価となる。
【０００７】
また、噴出口の口径が小さいから、その噴出口が目詰まりを起こし易く、保守、点検が面倒である。
【０００８】
また、フード内部に複雑で大掛かりな構造の洗浄液噴射部を備えているので、フード内部に洗浄液噴射部を設けただけであると、その洗浄液噴射部が外部から見えることがあり、フード内部の美観を損ねることがあるので、前述した従来の洗浄機能付きレンジフードにおいては、フード内に水受け板を設けてフード内部が外部から見えないようにしている。
このように、外部からフード内部が見える場合にはフード内部の美観を損ねることがある。
【０００９】
また、洗浄液噴射部の配管の噴射口から洗浄液を噴射するためには、配管内を洗浄液で満たす必要があると共に、そのためには多量の洗浄液を必要とするので、洗浄液タンクが大容量である。
このようであるから、洗浄液タンクを脱着できるようにした場合には、その洗浄タンクが大容量で重いために、手作業で洗浄液タンクを脱着することが困難となる。
【００１０】
本発明の目的は、送風機の回転を利用してフードの内部を洗浄できるようにすることで、前述した従来の課題を解消できるようにした洗浄機能付きレンジフードとすることである。
【課題を解決するための手段】
【００１１】
本発明の第１の洗浄機能付きレンジフードは、フード１と送風機２を備え、その送風機２を駆動することで調理時に発生した油煙をフード１の内部１ａに捕集し、ダクトを通して屋外に排出するレンジフードであって、
前記フード１の内部１ａの最高部に開口部１５を有し、
前記フード１の内面１ｂは、開口部１５周囲近傍から下方に向けて順次傾斜し、
前記送風機２をフード１の上方に設け、当該送風機２のシロッコファン３１を回転することで油煙が開口部１５から送風機２に吸い込みされるようにし、
前記フード１の内部１ａに回転体３を水平方向に回転自在で、かつ送風機２のシロッコファン３１と離れて設け、この回転体３を送風機２で回転するようにし、
前記回転体３の外周面に洗浄液を供給する洗浄液供給部５を設け、
前記回転体３は、その外周面に供給された洗浄液が落下しないように受ける洗浄液受け部４を有し、かつその回転体３が回転することで洗浄液受け部４の洗浄液がフード１の内面１ｂに向けて飛散するように構成し、
前記洗浄液受け部４は、回転体３の外周面に設けた環状の上向き凹部３ａとしたことを特徴とする洗浄機能付きレンジフードである。
【００１２】
本発明の第２の洗浄機能付きレンジフードは、フード１と送風機２を備え、その送風機２を駆動することで調理時に発生した油煙をフード１の内部１ａに捕集し、ダクトを通して屋外に排出するレンジフードであって、
前記フード１の内部１ａの最高部に開口部１５を有し、
前記フード１の内面１ｂは、開口部１５周囲近傍から下方に向けて順次傾斜し、
前記送風機２をフード１の上方に設け、当該送風機２のシロッコファン３１を回転することで油煙が開口部１５から送風機２に吸い込みされるようにし、
前記フード１の内部１ａに回転体３を水平方向に回転自在で、かつ送風機２のシロッコファン３１と離れて設け、この回転体３を送風機２で回転するようにし、
前記回転体３の外周面に洗浄液を供給する洗浄液供給部５を設け、
前記回転体３は、回転することで外周面に供給される洗浄液が前記フード１の内面１ｂに向けて飛散するように構成し、
前記洗浄液供給部５は、送風機２のシロッコファン３１の外周面に洗浄液を供給し、そのシロッコファン３１の回転で洗浄液が送風機２のケーシング３０の内面に吹きつけられるように構成し、
前記ケーシング３０内の洗浄液が回転体３の外周面に流れ落ちるようにしたことを特徴とする洗浄機能付きレンジフードである。
【００１６】
本発明においては、回転体３の外周面に環状の張り出し部３ｄを設けて洗浄液受け部４とすることができる。
【００１７】
本発明においては、回転体３は環状の上向き凹部３ａを有し、その上向き凹部３ａに飛散用フィン３ｂが周方向に間隔を置いて複数設けられて洗浄液受け部４を形成することができる。
【００１８】
本発明においては、回転体３はフード１の内面１ｂにおける水平方向のほぼ中央に設けることができる。
【００２１】
本発明においては、送風機２は、ケーシング３０とシロッコファン３１とモータ３２を備え、そのシロッコファン３１の回転で吸込口２ａから空気を吸い込んで、吐出口２ｂから吐出するものとすると共に、その吸込口２と前記フード１の開口部１５を連通し、
前記モータ３２の出力軸部分を軸３４で回転体３に連結し、モータ３２でシロッコファン３１を回転することで回転体３が回転するようにできる。
【００２２】
本発明においては、フード１に、洗浄液受けパネル９と洗浄液タンク８を、フード１の内面１ｂに吹きつけられた洗浄液が洗浄液受けパネル９に沿って流れて洗浄液タンク８に回収されるように取付け、
前記洗浄液タンク８内の洗浄液を供給するポンプ７と、このポンプ７を駆動するモータ６で洗浄液供給部５とすることができる。
【００２３】
このようにすれば、フード１の内面１ｂを洗浄した洗浄液を回収して再利用できる。
【００２４】
本発明においては、前記フード１は、開口部１５を有したフード本体１４と、このフード本体１４内に設けた内面パネル１６を備え、
前記内面パネル１６は、フード本体１４の開口部１５の周縁部からフード本体１４の内周面に亘って取り付けられ、その周縁部に沿った部分から順次下方に向けて傾斜したほぼ逆漏斗形状で、その内面パネル１６の下面をフード１の内面１ｂとすることができる。
【発明の効果】
【００２５】
本発明の洗浄機能付きレンジフードによれば、送風機２によって回転体３を回転することで洗浄液をフード１の内面１ｂに吹きつけて洗浄するので、送風機２の回転を利用してフード１の内部１ａを洗浄できる。
したがって、洗浄液供給部５は回転体３の外周面に洗浄液を供給すれば良いので、その洗浄液供給部５は安価であるし、回転体３を設ければ良く、レンジフードが安価である。
また、目詰まりを起す部分がないから保守、点検が容易である。
また、フード１の内部が見えても回転体３が見えるだけであるから、美観を損ねることがない。
また、回転体３の外周面に供給する洗浄液の量は少なく、洗浄液タンクを用いた場合には、その洗浄液タンクは小容量で良いから、手作業で洗浄液タンクを簡単に脱着することが可能である。
本発明の第１の洗浄機能付きレンジフードによれば、回転体３の外周面に供給された洗浄液が洗浄液受け部４によって落下しないようになるから、その回転体３の回転によって洗浄液が確実に飛散する。
しかも、回転体３の外周面に多量の洗浄液が供給されても、その洗浄液は上向き凹部３ａ内に溜まり、落下しないようにできる。
本発明の第２の洗浄機能付きレンジフードよれば、送風機２のシロッコファン３１、ケーシング３０の内面をも洗浄することができる。
【図面の簡単な説明】
【００２６】
【図１】本発明の参考例を示すレンジフードの正面図である。
【図２】本発明の参考例を示すレンジフードの右側面図である。
【図３】本発明の参考例を示すレンジフードの底面図である。
【図４】図２のＡ−Ａ拡大断面図である。
【図５】図１のＢ−Ｂ拡大断面図である。
【図６】回転体の横断面図である。
【図７】レンジフードの斜視図である。
【図８】本発明の第２の参考例を示すレンジフードの断面図である。
【図９】本発明の第３の参考例を示すレンジフードの断面図である。
【図１０】本発明の実施の形態を示すレンジフードの断面図である。
【図１１】本発明の第４の参考例を示すレンジフードの断面図である。
【発明を実施するための形態】
【００２７】
本発明の参考例を図面に基づいて説明する。
図１〜図７に示すように、図示しない調理器の上に設けられるフード１と、送風機２を備えている。
前記送風機２の吸込口２ａはフード１の内部１ａに連通し、吐出口２ｂはダクト２ｃに連通している。
前記送風機２を駆動することで調理時に発生した湯気、油分を含む空気（以下油煙という）をフード１の内部１ａに捕集し、前記ダクト２ｃを通して屋外に排出するようにして、調理器の上に設けられ、調理により発生した油煙を排気するレンジフードとしてある。
前記フード１の内部１ａに回転体３が回転可能に配設され、この回転体３が回転することで、その外周面に供給された洗浄液をフード１の内面１ｂに向けて飛散するように構成してある。
この回転体３は送風機２によって回転される。
【００２８】
例えば、回転体３の外周面に洗浄液受け部４を有し、その外周面に供給された洗浄液が落下（流れ落ち）しないように洗浄液受け部４で受けられるようにし、その回転体３が回転することで洗浄液受け部４上の洗浄液をフード１の内面１ｂに向けて飛散するように構成してある。
【００２９】
前記回転体３の外周面（洗浄液受け部４）には洗浄液供給部５から洗浄液が供給される。
この洗浄液供給部５は、モータ６で駆動される供給ポンプ７で洗浄液タンク８内の洗浄液を供給するものである、
前記フード１の下部には洗浄液受けパネル９が設けてあり、フード１内部に吹きつけられた洗浄液は洗浄液受けパネル９に沿って流れ、前記洗浄液タンク８内に流れ込んで回収される。
これによって、洗浄液を繰り返し使用できる。
【００３０】
このようであるから、洗浄液供給部５で回転体３の外周面（洗浄液受け部４）に洗浄液を供給しながら送風機２を駆動することで、その回転体３が回転して洗浄液をフード１の内面１ｂに向けて飛散し、そのフード１の内面１ｂに洗浄液が吹きつけられ、フード１の内部１ａを洗浄できる。
したがって、送風機２の回転を利用してフード１の内面１ｂに洗浄液を勢いよく吹きつけて洗浄できる。
【００３１】
また、送風機２の回転を利用して洗浄液を勢いよく吹きつけているから、洗浄液供給部５のモータ６、供給ポンプ７は洗浄液を供送できれば良く、コスト安なモータ、供給ポンプを用いた安価な洗浄液供給部５を備えていることと、洗浄液を吹きつけるのは回転体３を有した単純で簡単な構造でコスト安であることが相俟って、レンジフードを安価にできる。
また、洗浄液が詰まったりする部分がなく、保守、点検が容易である。
【００３２】
また、フード１の内部１ａには、洗浄液受け部４を有した回転体３を設ければ良く、その回転体３は単純で簡単な構造であるから、回転体３が外部から見えてもフード内部の美観を損なうことがない。
【００３３】
また、回転体３の外周面に供給する洗浄液は少量で良い。例えば、洗浄液受け部４上に溜まった洗浄液を、回転体３の回転で飛散してフード１の内面１ｂに吹きつけるので、その洗浄液受け部４上に多量の洗浄液を溜める必要はなく、少量の洗浄液を溜めれば良いから、洗浄液タンク８を小容量とすることができる。
したがって、洗浄液タンク８を手作業で簡単に脱着することが可能となる。
【００３４】
次に、各部を詳細に説明する。
前記フード１は、上面板１０と前面板１１と後面板１２と左右の側面板１３,１３で下面が開口した箱状のフード本体１４を備え、このフード本体１４の上面板１０に開口部１５が形成してある。
前記フード本体１４内には内面パネル１６が取付けてあり、この内面パネル１６とフード本体１４でフード１としてある。
この内面パネル１６は前記開口部１５の周縁部から前面板１１、後面板１２、左右の側面板１３の内面１１ａ，１２ａ，１３ａ（つまり、フード本体１４の内周面）に亘って取付けられ、その周縁部に沿った部分から順次下方に向けて傾斜したほぼ逆漏斗形状である。
前記内面パネル１６の内側面（下面）がフード１の内面１ｂで、その内面１ｂはほぼ水平、好ましくは、水平方向ほぼ中央部から下方に向けて順次傾斜した形状で、その水平方向のほぼ中央部が開口している。
【００３５】
洗浄液受けパネル９は、前記内面パネル１６の周縁下端部に取付けられ、前後方向中央部に向けて傾斜して前後方向中央部に向けて洗浄液が流れるようにしてある。
この洗浄液受けパネル９の前後方向中央部分に排水用穴２０と供給用穴２１がそれぞれ形成されていると共に、前後寄り部分に空気取り入れ用開口部２２がそれぞれ形成されている。
前記各空気取り入れ用開口部２２の上部に整流板２３がそれぞれ設けてあり、この整流板２３と空気取入れ用開口部２２の開口縁との間の隙間からフード１の内部１ａに空気が流れ込む。
【００３６】
前記洗浄液タンク８は、洗浄液受けパネル９の前後方向中央部分に、前記排水用穴２０、供給用穴２１を覆うように着脱自在に設けてあり、前記洗浄液受けパネル９に沿って流れた洗浄液が排水用穴２０、供給用穴２１から洗浄液タンク８内に落下して溜まるようにしてある。
【００３７】
前記フード１（フード本体１４）には、洗浄液タンク８を覆うタンクカバー体２４が取付けてある。
このタンクカバー体２４はフード１に上下動自在に取付けられると共に、洗浄液タンク８を取り出すためのタンク取出口２５を有し、このタンク取出口２５は蓋２６で開閉される。
そして、洗浄液タンク８は前記タンクカバー体２４に支持され、そのタンクカバー体２４を下方に移動すると共に、蓋２６を開放することでタンク取出口２５から洗浄液タンク８を取り出し、取り付けできるようにしてある。
【００３８】
例えば、フード１とタンクカバー体２４とに亘って上下ガイド２７が取付けてあると共に、前記洗浄液受けパネル９にランプ２８が取付けられ、洗浄液タンク８に固着した支持片２９がタンクカバー体２４に接している。
そして、タンクカバー体２４を下方位置とした状態で、蓋２６を図５に仮想線で示すように下方に回動してタンク取出口２５を開放することで、洗浄液タンク８を取り出したり、取り付けできる。
【００３９】
前記上下ガイド２７は、フード本体１４の側面板１３の内面１３ａに取付けた縦ガイド受２７ａ、例えばコ字状の受け材と、この縦ガイド受２７ａに上下摺動自在に嵌合した縦ガイド２７ｂ、例えばコ字状のガイド材を備えている。
前記ランプ２８は透光性のランプカバー２８ａを有し、そのランプカバー２８ａがタンクカバー体２４の穴２８ｂに嵌まり合い、ランプ２９の光をタンクカバー体２４を透して見ることができるようにしてある。
【００４０】
フード１は前述の構成であるから、下から見上げた時に図７に示すように、空気取入れ用開口部２２を有した洗浄液受けパネル９と、タンクカバー体２４が目視され、洗浄液タンク８等が目視されないので見栄えが良い。
具体的には、フード１の前側（前面板１１側）と後側（後面板１２側）とに左右方向に亘る長方形状の空気取入れ用開口部２２と、前後中央に左右方向に亘る長方形状のタンクカバー体２４が見え、スッキリとした見栄えの良いように見える。
【００４１】
前記回転体３は環状の上向き凹部３ａを有している。好ましくは筒形状で、その下端周縁が外周に向けて上向きほぼ円弧形状に湾曲して環状の上向き凹部３ａ（前述の洗浄液受け部４）を有し、その上向き凹部３ａに飛散用フィン３ｂが周方向に間隔を置いて複数設けてある。好ましくは放射状に設けてある。
このようであるから、上向き凹部３ａに溜まった洗浄液は、回転体３の回転によって飛散用フィン３ｂに沿って図６に矢印ａで示すように、外周に向けて飛散される。
【００４２】
要するに、フード１の内面１ｂ（内面パネル１６）がほぼ水平で、そのフード１の内部１ａの水平方向のほぼ中央部に回転体３がほぼ水平面方向に回転可能に設けてあるので、回転体３を前述のようにすることで、フード１の内面１ｂに洗浄液を吹きつけて洗浄することができる。前述の水平面方向に回転とは、回転中心軸が垂直方向に向かうことである。
【００４３】
前記送風機２はケーシング３０内にファン、例えばシロッコファン３１（遠心ファン）を回転自在に設けると共に、モータ３３で回転するようにしてある。
前記シロッコファン３１が回転することで、吸込口２ａから空気を吸い込んで吐出口２ｂから吐出する。
前記ケーシング３０がフード１の上面板１０に、その吸込口２ａが前記開口部１５と連通するように取付けられる。
この実施の形態では、前述の回転体３をシロッコファン３１の外周縁に取付け、この回転体３の内周面３ｃを吸込口２ａとし、前記回転体３を吸込口２ａを形成する部分としている。
要するにシロッコファン３１がほぼ水平面方向に回転するので、回転体３を吸込口２ａを形成する部分とすることができる。
【００４４】
前記回転体３がケーシング３０の吸込側開口３３、フード１の上面板１０の開口部１５からフード１の内部１ａに入り込み、その回転体３の下端部分がフード１の内面１ｂと対向している。
前記ケーシング３０の吸込側開口３３とフード１の上面板１０の開口部１５はほぼ同心状に連通している。
この吸込側開口３３、上面板１０の開口部１５と回転体３の上部寄り外周面との間に隙間があると共に、前記回転体３の上向き凹部３ａ（洗浄液受け部４）を形成する部分は開口部３３，１５よりも下方に位置している。つまり、フード１の内部１ａに位置している。
【００４５】
前記洗浄液供給部５のモータ６はフード１の上面板１０に取付けてあり、そのモータ６で回転される回転軸６ａの下端部に供給ポンプ７が連結され、その供給ポンプ７は洗浄液受けパネル９の供給用穴２１から洗浄液タンク８内に吊り下げ支持してある。
前記供給ポンプ７の吐出口にはパイプ７ａが接続し、このパイプ７ａは洗浄液噴出部４０に接続してある。
この洗浄液噴出部４０は前記ケーシング３０からシロッコファン３１の外周面に洗浄液を噴射する。
例えば、ブロック４１に入口孔４２と複数の通路４３を形成し、その各通路４３にノズル４４を取付けて洗浄液噴出部４０とし、その入口孔４２に前記パイプ７ａを接続すると共に、ノズル４４をシロッコファン３１の外周面と対向してある。好ましくは、ノズル４４を上下方向に複数設けてシロッコファン３１の外周面における全域に洗浄液を噴射できるようにする。
【００４６】
このようであるから、洗浄液供給部５によって洗浄液がシロッコファン３１の外周面に噴射され、シロッコファン３１が回転することでシロッコファン３１自体を洗浄することができる。
これと同時に、洗浄液はシロッコファン３１によって反射され、ケーシング３０内部を洗浄する。
前述のようにしてケーシング３０の内部を洗浄した洗浄液は、ケーシング３０の吸込側開口３３、フード１の開口部１５を通って回転体３の洗浄液溜め部４に流れ落ちて溜まる。
【００４７】
このようであるから、送風機２のケーシング３０内部、シロッコファン３１を洗浄液で洗浄することができる。
また、回転体３を送風機２の吸込口２ａを形成する部分と兼用してあるので、回転体３を特別に設ける必要がなく、部品点数を少なくできる。
すなわち、前述した送風機２は、ベルマウスと呼ばれる吸込口２ａを形成する部分を備えているので、その部分の形状を前述のようにして回転体３として兼用することで、部品点数を少なくできる。
【００４８】
前述の洗浄液噴出部４０は、そのノズル４４から噴射される洗浄液の勢いでフード１の内部１ａを洗浄するものではなく、シロッコファン３１の外周面に洗浄液を供給するだけであるから、ノズル４４から高圧の洗浄液を噴射する必要がない。
したがって、モータ６、供給ポンプ７はコスト安なものを用いることができるし、ノズル４４は噴出口が大きく、目詰まりし難いものを用いることができる。
【００４９】
前記送風機２の吐出口２ｂとダクト２ｃとの間、又はダクト２ｃの吐出口２ｂ寄り、つまり送風機２の吐出経路にシャッター５０が取付けてある。
このシャッター５０は、レンジフードの通常使用時には開放状態として送風機２から吐出した空気がダクト２ｃをスムーズに流れるようにする。
前述の洗浄時にはシャッター５０を閉じ状態とし、送風機２からダクト２ｃに空気が流れないようにする。これによって、シロッコファン３１は無負荷状態となって高速回転するようになる。
【００５０】
前記フード１の上面（フード本体１４の上面板１０）にはダクトカバーと呼ばれる取付用筒体５１が取付けてあり、この取付用筒体５１で前記送風機２、モータ６、洗浄液噴出部４０、ダクト２ｃ等を覆って見えないようにしてある。
そして、取付け筒体５１を天井に固着することでレンジフードを天井に取付けるようにしてある。
要するに、この実施の形態のレンジフードは天吊型と呼ばれるレンジフードである。
【００５１】
なお、本発明のレンジフードは、天吊型に限ることはなく、壁付け型のレンジフードでも良いことは勿論である。
【００５２】
前述の参考例では、シロッコファン３１の外周面にノズル４４で洗浄液を噴射するようにしたが、シロッコファン３１の外周面の上部に洗浄液を供給するようにしても良い。
例えば、図８に示すようにケーシング３０の上面にリング状の管体４５を設け、この管体４５にノズル４４を周方向に間隔を置いて複数設け、そのノズル４４から洗浄液をシロッコファン３１の外周面の上部に噴射して供給する。
【００５３】
このように、シロッコファン３１の外周面に洗浄液を上から供給する場合には、ノズル４４を用いずに穴から洗浄液が落下するようにすることが可能である。
【００５４】
前述の各参考例では送風機２のケーシング３０内部から回転体３の洗浄液溜め部４に洗浄液を供給するようにしたが、これに限ることはなく回転体３の洗浄液受け部４に洗浄液を直接供給するようにしても良い。
例えば、図９に示すように、フード本体１４の上面板１０の裏面における開口部１５の周縁に沿ってリング状の管体４５を取付け、この管体４５に周方向に間隔を置いて複数のノズル４４を取付ける。
前記各ノズル４４を内面パネル１６を貫通して回転体３の洗浄液受け部４と対向させる。
前記ポンプ７の吐出口に接続した前記パイプ７ａを、前記管体４５に連通する。
【００５５】
これによって、モータ６でポンプ７を駆動することで、洗浄液タンク８内の洗浄液をパイプ７ａ、管体４５、ノズル４４を経て回転体３の洗浄液受け部４に供給することができる。
この場合にも前述と同様に、ノズル４４を用いずに穴から洗浄液を洗浄液受け部４に供給するようにすることができる。
【００５６】
前述の各実参考例では送風機２の吸込口２ａを形成する部分と回転体３を兼用としたが、本発明は回転体３を吸込口２ａを形成する部分と別体とした。
例えば、図１０に示すように送風機２のケーシング３０の下部の側板３０ａに吸込口２ａを形成し、その吸込口２ａをフード本体１４の上面板１０の開口部１５と連通する。
フード１の内部１ａに回転体３を、前記開口部１５とほぼ同心状で、かつ内面パネル１６よりも下方寄りに回転可能に設け、この回転体３を送風機２で回転する。
例えば、送風機２のモータ３２の出力軸部分を軸３４、放射状の複数の連杆３５を介して回転体３に連結し、モータ３２でシロッコファン３１を回転することで、回転体３が回転するようにする。
【００５７】
この場合には、前述した第１の参考例と同様に、ケーシング３０の内面に付着した洗浄液が流れ落ちて吸込口２ａを形成する部分に沿って流れて回転体３の洗浄液受け部４に供給することが可能であるが、この実施の形態ではケーシング３０の下部の側板３０ａに凹部３０ｂを形成して洗浄液が溜まるようにし、その凹部３０ｂに溜まった洗浄液をパイプ３６で回転体３の洗浄液受け部４に供給するようにしてある。
【００５８】
本発明の実施の形態においても、前述した図８、図９に示すようにして回転体３の洗浄液受け部４に洗浄液を供給するようにできる。
【００５９】
前述の実施の形態では、回転体３の外周面に環状の上向き凹部３ａを形成して洗浄液受け部４としたが、これに限ることはない。
例えば、図１１に示すように回転体３の外周面に環状の張り出し部３ｄを設けて洗浄液受け部４とする。この環状の張り出し部３ｄは最下部に設けることが好ましいが、上下中間部でも良い。
【００６０】
図１１に示すレンジフードは、フード１を壁５２に取付ける壁付け型のレンジフードである。
例えば、フード本体１４のみでフード１とし、洗浄液受けパネル９がフード１に一体的に設けてある。
【００６１】
前述の実施の形態では洗浄液タンク８を用いたが、水道管や外部供給源などから洗浄液を回転体３の外周面に供給するようにしても良い。
例えば、図１１に示すように、供給管５３をケーシング３０に、シロッコファン３１の上部に臨むように設け、その供給管５３を電磁開閉弁５４を経て水道管や外部供給源に連通して、その電磁開閉弁５４を開とすることでシロッコファン３１の上部に洗浄液を供給できるようにする。
【００６２】
前述のように回転体３の回転によってフード１の内面１ｂに飛散された洗浄液は、洗浄液受けパネル９に沿って流れて液溜め部５５に流れ込み、排水管５６で下水道管などに排水される。
図１１で、符号５７はダクトボックスで、フード１の上部に送風機２を囲むように取付けてある。
【符号の説明】
【００６３】
１…フード、１ａ…内部、１ｂ…内面、２…送風機、３…回転体、３ａ…上向き凹部、３ｂ…飛散用フィン、３ｃ…内周面、４…洗浄液受け部、５…洗浄液供給部、６…モータ、７…ポンプ、８…洗浄液タンク、９…洗浄液受けパネル、２４…タンクカバー体、３０…ケーシング、３１…シロッコファン、３２…モータ。
【図１】
0005506118.tif 000002
【図２】
0005506118.tif 000003
【図３】
0005506118.tif 000004
【図４】
0005506118.tif 000005
【図５】
0005506118.tif 000006
【図６】
0005506118.tif 000007
【図７】
0005506118.tif 000008
【図８】
0005506118.tif 000009
【図９】
0005506118.tif 000010
【図１０】
0005506118.tif 000011
【図１１】
0005506118.tif 000012